(57)【要約】【課題】クロスの端部をきれいに仕上げることができるとともに作業中にコーナー用役物の脱落を防止する手段を提供する。 【解決手段】巾木や廻り縁等に取り付けるコーナー用役物において、巾木等の溝に嵌合する嵌合溝が形成された２つの互いに直交する側板部と、前記側板部上部に設けた巾木等を覆う天板部とを有し、前記天板部は、前記巾木等を、前記巾木等の厚み方向に覆うように延伸し、前記天板部の壁側端部と壁面との間に隙間を形成する寸法とした。【選択図】        図１
2019199735.tif 000002
【特許請求の範囲】
【請求項１】
巾木や廻り縁等に取り付けるコーナー用役物において、
巾木等の溝に嵌合する嵌合溝が形成された２つの互いに直交する側板部と、
前記側板部上部に設けた巾木等を覆う天板部とを有し、
前記天板部は、前記巾木等を、前記巾木等の厚み方向に覆うように延伸し、前記天板部の壁側端部と壁面との間に隙間を形成する寸法としたことを特徴とするコーナー用役物。
【請求項２】
請求項１に記載のコーナー用役物において、
いずれか一方の前記側版部の内面側に、前記嵌合溝に沿うように伸びた舌片を有し、
前記舌辺は、前記コーナー用役物を前記巾木等に取り付けた際、前記巾木等の溝と重なって前記側板部より突出していることを特徴とするコーナー用役物。
【請求項３】
請求項１に記載のコーナー用役物において、
前記壁側端部は、前記壁側端部の上方から前記巾木等の厚み方向に斜め下に傾斜した傾斜面として形成されることを特徴とするコーナー用役物。
【発明の詳細な説明】
【技術分野】
【０００１】
本発明は、コーナー用役物に関するものである。
【背景技術】
【０００２】
巾木や廻り縁等の入隅部または出隅部において、巾木等の突合せ部分を覆うようにコーナー用役物が取り付けられている（例えば、特許文献１参照）。
【先行技術文献】
【特許文献】
【０００３】
【特許文献１】特開２０１５−５５３８６号公報
【特許文献２】特開２０１６−１６０７４４号公報
【発明の概要】
【発明が解決しようとする課題】
【０００４】
一般住宅等の内壁の壁面をクロス張りにする場合、貼られたクロスの端部を切断するに際し、図１０に示すように、金ベラでクロスの端部を押さえた状態で巾木に沿って移動させながらカッターで切断している。
しかしながら、図９に示すように、コーナー用役物が取り付けられた入隅部および出隅部は、コーナー用役物の肉厚分だけ巾木の上端より突出しているため、巾木の上端と突出した端部との間に段差が生じる。
【０００５】
そうすると、その段差によって金ベラの移動が妨げられ、カッターによる切断を滑らかに行うことができない。
さらに、金ベラの移動に伴ってクロスの端部にしわができたり、切断したクロスの端部と巾木の上端とが不揃いになる場合があり、クロスの端部をきれいに仕上げることができない。
【０００６】
そのため、図１０に示すように、コーナー用役物の形状に合わせて工程１から工程４までのクロスを切断する工程が必要となり、コーナー用役物が取り付けられていないところと同様な方法でクロスを切断できず、連続的な作業ができない。また、コーナー用役物はその取り付けに際し接着剤で接着させるが、接着剤が硬化するまでは、外部からの強い衝撃によりコーナー用役物が脱落することがあるという問題がある。
【０００７】
本発明は、このような問題を解決することを課題とし、クロス張り作業を迅速に行い、クロスの端部をきれいに仕上げるとともにコーナー用役物の脱落を防止することを目的とする。
【課題を解決するための手段】
【０００８】
巾木や廻り縁等に取り付けるコーナー用役物において、巾木等の溝に嵌合する嵌合溝が形成された２つの互いに直交する側板部と、前記側板部上部に設けた巾木等を覆う天板部とを有し、前記天板部は、前記巾木等を、前記巾木等の厚み方向に覆うように延伸し、前記天板部の壁側端部と壁面との間に隙間を形成する寸法としたことを特徴とする。
【発明の効果】
【０００９】
このようにした本発明は、クロス張り作業を迅速に行うことができ、クロスの端部をきれいに仕上げるとともにコーナー用役物の脱落を防止することができるという効果が得られる。
【図面の簡単な説明】
【００１０】
【図１】第１の実施例における入隅部に取り付けるコーナー用役物の斜視図
【図２】第１の実施例における入隅部に取り付けるコーナー用役物の６面図
【図３】第１の実施例における巾木を示す斜視図
【図４】第１の実施例におけるコーナー用役物の取り付け状態を説明する模式図
【図５】第１の実施例におけるコーナー用役物の取り付け状態を説明する断面図
【図６】第１の実施例における壁側端部と壁面との間の隙間を説明する断面図
【図７】第１の実施例における出隅部に取り付けるコーナー用役物の斜視図
【図８】第１の実施例における出隅部に取り付けるコーナー用役物の６面図
【図９】比較例におけるコーナー用役物と巾木の上端との隙間を説明する模式図
【図１０】比較例におけるコーナー用役物の取り付け状態を説明する断面図
【発明を実施するための形態】
【００１１】
以下、図面を参照して本発明によるコーナー用役物の実施例を説明する。
【実施例１】
【００１２】
図１は第１の実施例における入隅部に取り付けるコーナー用役物の斜視図である。図２は第１の実施例における入隅部に取り付けるコーナー用役物の６面図であり、図１中矢印Ａの方向を正面として図２（ａ）は左側面図、（ｂ）は正面図、（ｃ）は右側面図、（ｄ）は平面図、（ｅ）は背面図、（ｆ）は底面図である。 図３は第１の実施例における巾木を示す斜視図である。
【００１３】
巾木１は、例えば木製であり、壁の角となる入隅部および出隅部において、２つの巾木１の端部が直角に突き合せられることになる。
また、巾木１には、コーナー用役物２の嵌合溝４が嵌合するピン８打ち用の半円形状（断面形状）の溝が長さ方向に沿って形成されている。
【００１４】
コーナー用役物２は、例えばＡＥＳ樹脂等の合成樹脂製であり、側板部５と、舌片６と、天板部９とが一体的に形成されている。
【００１５】
側板部５は、２つが互いに直交しており、巾木１の溝３と嵌合する半円形状（断面形状）の嵌合溝４が形成されている。
なお、側板部５に設けられた嵌合溝４は、巾木１の溝３に嵌る幅と深さとを有する。
【００１６】
舌片６は、略長方形状の薄板部材であり、いずれか一方の側版部の内面側に、側板部５の嵌合溝４に沿うように伸び、側板部５より突出するように設けられている。
また、側板部５より突出した舌片６は、コーナー用役物２が巾木１に取り付けられた後、巾木１の溝３と重なっている位置をピンタッカーでピン８を打ちこみ、コーナー用役物２および巾木１を壁面１２に一体として固定させるものである。
【００１７】
なお、本実施例では、側板部５の中ほどに舌片６が設けられているとして説明するが、中ほどに限定されるものではなく、嵌合溝４の位置と舌片６が重なっていれば側板部５の上方や下方であってもよい。
【００１８】
天板部９は、側板部上部に設けられており、巾木１を覆うものである。
天板部９が巾木１を覆う寸法は、コーナー用役物２が巾木１に取り付けられたとき、巾木１を、巾木１の厚み方向に覆うように延伸しており、天板部９の壁側端部１０と壁面１２との間に隙間が形成されるような寸法になっている。さらに、天板部９の壁側端部１０に傾斜面１１が設けられている。
【００１９】
なお、本実施例では、天板部９の壁側端部１０と壁面１２との間に０．５ｍｍ程度の隙間が形成されるようにした。
【００２０】
天板部９の壁側端部１０は、上述したように、壁側端部１０の上方から巾木１の厚み方向に斜め下に傾斜した傾斜面１１として形成されたものであり、クロス１３切断の際に金ベラ１５の移動が滑らかに行えるようになっている。
【００２１】
上述した構成の作用について説明する。
【００２２】
図４は第１の実施例におけるコーナー用役物の取り付け状態を説明する模式図である。
図５は第１の実施例におけるコーナー用役物の取り付け状態を説明する断面図である。なお、図５は図４におけるＢＢ矢視断面図である。また、図５中斜線部は巾木１の溝３とコーナー用役物２の嵌合溝４とが嵌合していることを表している。
【００２３】
本実施例では、入隅部にコーナー用役物２を取り付ける場合について図４および図５を参照しながら説明する。
【００２４】
コーナー用役物２を、入隅部の一端を形成する巾木１に、舌片６を巾木１の側面に沿わせながら差し込み、コーナー用役物２が巾木１の先端７に達したら、巾木１の溝３に嵌合させるようにコーナー用役物２の嵌合溝４を合わせて嵌めこむ。（図４（ａ）および図５（ａ））。
【００２５】
巾木１の先端７にコーナー用役物２が当接するまで嵌めこんだ後、コーナー用役物２および巾木１を壁面１２に押し当てる。
【００２６】
ピン８打ち用の巾木１の溝３と側板部５より突出した舌片６とが重なった位置に、ピンタッカーによりピン８を打ち込み、巾木１およびコーナー用役物２を一体として壁面１２に固定する。
【００２７】
コーナー用役物２の嵌合溝４に嵌合させるように、入隅部のもう一端を形成する巾木１の溝３を合わせて嵌めこむ（図４中（ｂ）および図５中（ｂ））。
【００２８】
本実施例では、コーナー用役物２が巾木１に固定されることで、外部から強い衝撃が加わった場合でもコーナー用役物２の脱落を防止することができる。
【００２９】
また、図５中（ｄ）に示すように、巾木１の長さがαだけ不足して巾木１の先端７とコーナー用役物２との間に隙間がある場合でも、巾木１の溝３がコーナー用役物２の嵌合溝４に嵌合する範囲内であれば、巾木１をコーナー用役物２に取り付けることができる。
【００３０】
本実施例では、一方の巾木１はコーナー用役物２と一体として壁面１２に固定されるため、もう一方の巾木１の溝３がコーナー用役物２の嵌合溝４に嵌合する範囲内であれば、巾木１の先端７はコーナー用役物２に当接しなくてもよい。
したがって、コーナー用役物２と巾木１の接合状態に隙間があっても入隅部はコーナー用役物２に覆われることになる。
【００３１】
なお、本発明のコーナー用役物２の取り付け方法は、上述した方法に限定されるものではない。
【００３２】
図６は第１の実施例における壁側端部と壁面との間の隙間を説明する断面図である。
コーナー用役物２が取り付けられた後、壁面１２に貼られたクロス１３の端部を切断する方法を図６を参照しながら説明する。
【００３３】
天板部９の壁側端部１０と壁面１２との間の隙間に金ベラ１５を差し込んでクロス１３を壁面１２に押さえつけ、金ベラ１５を移動させながらコーナー用役物２の傾斜面１１に沿ってカッター１４を入れてクロス１３の端部を切断する。
【００３４】
コーナー用役物２と巾木１の上端との間に段差があっても、金ベラ１５をクロス１３を押さえた状態で巾木１に沿って移動させながらカッター１４で切断することができ、クロス１３の端部をきれいに仕上げることができる。また、クロスを寄せてしまうこともなく、しわの形成を防ぐことができる。
【００３５】
すなわち、本実施例では、コーナー用役物２の形状に合わせて切断する工程が必要なくなる。
【００３６】
図７は第１の実施例における出隅部に取り付けるコーナー用役物の斜視図である。図８は第１の実施例における出隅部に取り付けるコーナー用役物の６面図であり、図７中矢印Ｃの方向を正面として図２（ａ）は左側面図、（ｂ）は正面図、（ｃ）は右側面図、（ｄ）は平面図、（ｅ）は背面図、（ｆ）は底面図である。
【００３７】
出隅部に取り付けるコーナー用役物２の構成および作用は、上述した入隅部に取り付けるコーナー用役物２の構成および作用と同様のため省略する。
【００３８】
以上説明したように、本実施例では、コーナー用役物２と巾木１の上端との間に段差があっても、クロス１３の端部をきれいに仕上げることができるとともに、コーナー用役物２および巾木１が舌片６により壁面１２に固定されることで、外部から強い衝撃が加わった場合でもコーナー用役物２の脱落を防止することができるという効果が得られる。
【００３９】
なお、本実施例では、入隅部の巾木１の突合せ部分にコーナー用役物２を取り付けるようにしたが、入隅部に限られることなく、出隅部にコーナー用役物２を取り付けるようにしてもよい。
【００４０】
なお、本実施例では、巾木１にコーナー用役物２を取り付けるようにしたが、巾木１に限らず、廻り縁、見切り縁に取り付けるのも同様である。
【符号の説明】
【００４１】
１    巾木
２    コーナー用役物
３    溝
４    嵌合溝
５    側板部
６    舌片
７    先端
８    ピン
９    天板部
１０  壁側端部
１１  傾斜面
１２  壁面
１３  クロス
１４  カッター
１５  金ベラ
【図１】
2019199735.tif 000003
【図２】
2019199735.tif 000004
【図３】
2019199735.tif 000005
【図４】
2019199735.tif 000006
【図５】
2019199735.tif 000007
【図６】
2019199735.tif 000008
【図７】
2019199735.tif 000009
【図８】
2019199735.tif 000010
【図９】
2019199735.tif 000011
【図１０】
2019199735.tif 000012
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
巾木や廻り縁等に取り付けるコーナー用役物において、
巾木等の溝に嵌合する嵌合溝が形成された２つの互いに直交する側板部と、
前記側板部上部に設けた巾木等を覆う天板部とを有し、
前記天板部は、前記巾木等を覆うように延伸し、前記天板部の壁側端部と壁面との間に０．５ｍｍ程度の隙間を形成したことを特徴とするコーナー用役物。
【請求項２】
請求項１に記載のコーナー用役物において、
いずれか一方の前記側板部の内面側に、前記嵌合溝に沿うように伸びた舌片を有し、
前記舌片は、前記コーナー用役物を前記巾木等に取り付けた際、前記巾木等の溝と重なって前記側板部より突出していることを特徴とするコーナー用役物。
【請求項３】
請求項１に記載のコーナー用役物において、
前記壁側端部は、前記壁側端部の上方から前記巾木等の厚み方向に斜め下に傾斜した傾斜面として形成されることを特徴とするコーナー用役物。
【手続補正２】
【補正対象書類名】明細書
【補正対象項目名】００１１
【補正方法】変更
【補正の内容】
【００１１】
巾木や廻り縁等に取り付けるコーナー用役物において、巾木等の溝に嵌合する嵌合溝が形成された２つの互いに直交する側板部と、前記側板部上部に設けた巾木等を覆う天板部とを有し、前記天板部は、前記巾木等を覆うように延伸し、前記天板部の壁側端部と壁面との間に０．５ｍｍ程度の隙間を形成としたことを特徴とする。